(57)【特許請求の範囲】
【請求項１】
空気の吸引または送気が行われている建築物に設けられ、空気の吸引口または送気口となる制気口の取付構造において、空気を通すダクトと、このダクトの端部に設けられたチャンバーと、このチャンバー内に連通し他方の開口部が上記建築物の室内側に開口した取付枠と、空気の流通を制限するシャッターと集塵用のフィルタとが取り付けられ上記取付枠に対して一体的に取り付けられたシャッターユニットとから成り、上記チャンバーの底面部は上記取付枠の底面部に向かって下方に傾斜する形状に形成され、上記シャッターユニットは、上記フィルタが上記シャッターユニットに対して上方から差し込み及び取り出し可能に設けられ、上記シャッターの個々の羽が長手方向の軸回りに回動可能に設けられ、上記シャッターユニットの室内側開口部には格子状の桟を備えたフェース部材が取り付けられ、上記取付枠の内壁面に設けられた取付用突片に一体的に着脱自在に設けられていることを特徴とする制気口取付構造。
【発明の詳細な説明】
【０００１】
【発明の属する技術分野】
この発明は、半導体工場や医薬品工場等のクリーンルーム、その他空調設備を備えた建築物に設けられた制気口取付構造に関する。
【０００２】
【従来の技術】
従来、半導体や光学機器等の精密機械、製薬及びバイオ産業等のクリーンな環境を必要とする分野での研究やその他作業は、空気中の埃をほとんど除去したクリーンルーム内で行われている。このクリーンルームは一般に室内上方に送風口を設け、上方からクリーンな空気を送風し、室内下方に吸引口を設けて、常に室内の空気を一定の清浄度に保っている。
【０００３】
図３に示すように、この吸引口１０は、クリーンルーム１の床２近傍の壁面３に設けられ、空気を吸引する図示しない空調機に接続されたダクト４の先端部が、吸引口１０の近傍に位置している。ダクト４の先端部は、吸引口１０に設けられたチャンバー５に接続固定され、チャンバー５には、吸引口１０と壁面３間のダクトである短管６が取り付けられ固定されている。短管６には、複数の羽から成るシャッター７の枠部９がビス８により固定されている。そのシャッター７の枠部９には、集塵用のフィルタ１１の位置決めをする突出部１２が設けられ、フィルタ１１は、吸引口１０の格子状の覆いであるフェース部材１３と突出部１２とにより挟持されて保持固定される。そして、フェース部材１３は、シャッター７の枠部９にネジ止めされ固定されている。
【０００４】
【発明が解決しようとする課題】
上記従来の技術の場合、チャンバー５内には汚れや水滴がつきやすく、チャンバー５内を清掃しようとする場合、フェース部１３、フィルタ１１、シャッター７を取り外さなければならず、吸引口１０の着脱が煩雑であった。また、チャンバー５内には結露等による水がたまりやすいという問題もあった。
【０００５】
この発明は上記従来の問題点に鑑みてなされたものであり、着脱が容易であり清掃等のメンテナンスも簡単に可能な制気口取付構造を提供することを目的とする。
【０００６】
【課題を解決するための手段】
この発明は、クリーンルーム等の空調やその他換気等のための空気の吸引または送気が行われている建築物に設けられ、空気の吸引口または送気口となる制気口の取付構造であって、空気を通すダクトと、このダクトの端部に設けられたチャンバーと、このチャンバー内に連通し他方の開口部が上記建築物の室内側に開口した取付枠と、空気の流通を制限するシャッターと集塵用のフィルタとが取り付けられ上記取付枠に対して一体に着脱自在に設けられたシャッターユニットとから成る制気口取付構造である。
【０００７】
上記チャンバーの底面部は、上記取付枠の底面部に向かって下方に傾斜する形状に形成され、上記シャッターユニットは、上記フィルタが上記シャッターユニットに対して上方から差し込み及び取り出し可能に設けられ、上記シャッターの個々の羽が長手方向の軸回りに回動可能に設けられ、上記シャッターユニットの室内側開口部には格子状の桟を備えたフェース部材が取り付けられ、上記取付枠の内壁面に設けられた取付用突片に一体的に着脱自在に設けられている。
【０００８】
【発明の実施の形態】
以下、この発明の実施形態について図面に基づいて説明する。図１、図２はこの発明の一実施形態を示すもので、この実施形態の制気口は、半導体や光学機器等の精密機械、製薬及びバイオ産業等の研究施設や工場のクリーンルームに設けられたもので、換気を含む空調用の空気の吸引口２０から成る。この吸引口２０は、クリーンルーム２１が設置された建築物の床２２近傍の壁面２３に設けられ、クリーンルーム２１内の空気を吸引する図示しない空調機に接続されたダクト２４の先端部が、吸引口２０の近傍に位置している。ダクト２４の先端部は、吸引口２０に設けられたチャンバー２５に接続固定され、チャンバー２５は、クリーンルーム２１の壁面２３の裏側下方に位置している。
【０００９】
チャンバー２５には、このチャンバー２５に連通し他方の開口部がクリーンルーム２１内に開口した矩形状の取付枠２６が接続されている。チャンバー２５と取付枠２６の接続部には、気密材２８が設けられ、気密状態に接続されている。また、取付枠２６のクリーンルーム２１側の周縁部には、パッキン３０が全周に渡って設けられ、クリーンルーム２１側の壁面２３に気密状態で密着している。
【００１０】
チャンバー２５の底面部２５ａは、図２に示すように、取付枠２６の底面部２６ａに向かって下方に傾斜する形状に形成されている。
【００１１】
取付枠２６には、吸引する空気の流通を制限する複数の羽から成るシャッター３２と、集塵用のフィルタ３４とが取り付けられたシャッターユニット３６が、着脱自在に設けられている。シャッターユニット３６には、シャッター３２の個々の羽が長手方向の軸回りに回動可能に設けられ、フィルタ３４は、上方から差し込み及び取り出し可能に設けられている。また、シャッターユニット３６のクリーンルーム２１側開口部には、格子状の桟を備えた覆い部材であるフェース部材３８が取り付けられている。
【００１２】
シャッターユニット３６の取り付けは、取付枠２６の内壁面に設けられた取付用突片４０に対して、ビス４２により固定する。取付用突片４０には、ビス４２が螺合する取付用の雌ネジ４４が形成され、シャッターユニット３６の周縁部には、雌ネジ４４に対応する位置にビス４２のネジ部が層通する透孔４６が形成されている。
【００１３】
この実施形態の制気口取付構造は、チャンバー２５内を清掃等するために吸引口２０を開ける場合、ビス４２を外してシャッターユニット３６を取付枠２６から引き抜くことにより簡単に取り外すことができる。そして、チャンバー２５内の埃や水分を容易に拭き取ったりすることができる。また、チャンバー２５の底面部２５ａが取付枠２６の底面部２６ａに向かって下方に傾斜する形状に形成されているので、チャンバー２５内に付いた水滴が底面部２５ａ内に溜まりにくく、容易に取付枠２６側に流れ、自然乾燥し易く、上述のようにふき取りも容易である。また、チャンバー２５と取付枠２６との気密や、取付枠２６とシャッターユニット３６との気密も取りやすいものである。
【００１４】
なお、この発明の制気口取付構造は上記実施形態に限定されるものではなく、吸引口以外に送気口にも適用可能なものである。また、クリーンルーム以外に、換気等の空調が行われている建物空間の空気の通気口部分に適用可能なものである。
【００１５】
【発明の効果】
この発明の制気口取付構造は、フィルタとシャッターをユニット化してチャンバーに設けられた取付枠に一体的に着脱可能とすることにより、このシャッターユニットの取り付け及び取り外しが容易となり、ダクトに繋がったチャンバー内の清掃を容易なものにすることができる。また、チャンバー底面部を傾斜させることにより、チャンバー内に水滴がたまりにくく、埃等も付きにくいもとすることができる。
【図面の簡単な説明】
【図１】  この発明の一実施形態の制気口取付構造を示す概略縦断面図である。
【図２】  この実施形態の制気口取付構造の斜視図である。
【図３】  従来の制気口取付構造を示す概略縦断面図である。
【符号の説明】
２０  吸引口
２１  クリーンルーム
２３  壁面
２４  ダクト
２５  チャンバー
２６  取付枠
２８  気密材
３０  パッキン
３２  シャッター
３４  フィルタ
３６  シャッターユニット
３８  フェース部材
４２  ビス
【図１】
0003990159.tif 000002
【図２】
0003990159.tif 000003
【図３】
0003990159.tif 000004